(57)【要約】【課題】  ユーザの設定した画質でコピー出力するとともにコピー速度を速くする。【解決手段】  スキャナユニット２にプリンタ４と接続するための汎用インターフェース５とコントローラユニット３と接続するための汎用インターフェース６を設け、ユーザが設定したコピーモードに応じて２つの汎用インターフェース５、６を使い分ける。標準画質モードの場合は汎用インターフェース５を使用したイメージデータを直接プリンタ４へ出力し、高画質モードの場合は汎用インターフェース６を使用してイメージデータをコントローラユニット３へ送って高画質にする処理を行ってからプリンタ４へ送信する。【選択図】  図１
2006086635.tif 000002
【特許請求の範囲】
【請求項１】
スキャナで読み取った原稿のイメージデータをプリンタへ送信して印刷することにより原稿のコピーを行うコピーシステムにおいて、
前記イメージデータをスキャナからプリンタへ出力するための第１のインターフェースと、
前記イメージデータをスキャナから制御装置へ出力するとともに該制御装置からプリンタへ出力するための第２のインターフェースとを備え、
前記第１のインターフェース又は第２のインターフェースのいずれかを選択して前記イメージデータをプリンタへ送信することを特徴とするコピーシステム。
【請求項２】
プリンタにおけるイメージデータの処理方法を設定する設定手段を備え、
設定された処理方法に応じて前記第１のインターフェース又は第２のインターフェースのいずれかを選択して前記イメージデータをプリンタへ送信する請求項１記載のコピーシステム。
【請求項３】
前記制御装置はイメージデータに対して画像処理する機能を有し、
前記設定手段はオペレータパネルであり、コピーモードを設定する請求項２記載のコピーシステム。
【請求項４】
前記設定手段により設定されるイメージデータの処理方法は、複数の原稿について個別的に設定され、前記制御装置に記憶される請求項２記載のコピーシステム。
【請求項５】
前記第１のインターフェース又は第２のインターフェースはプリンタの状態に応じて選択される請求項１記載のコピーシステム。
【請求項６】
前記プリンタの状態はイメージデータを受信可能か否かであり、受信可能な場合は前記第１のインターフェースを選択してイメージデータをスキャナからプリンタへ直接送信し、受信不可能な場合は前記第２のインターフェースを選択してイメージデータをスキャナから前記制御装置へ送信し、さらに制御装置からプリンタへ送信する請求項５記載のコピーシステム。
【請求項７】
スキャナで読み取った原稿のイメージデータを印刷するプリンタにおいて、
前記イメージデータをスキャナから直接入力するための第１のインターフェースと、
前記イメージデータをスキャナから制御装置を介して入力するための第２のインターフェースとを備え、
前記第１のインターフェース又は第２のインターフェースのいずれかを選択して前記イメージデータを入力することを特徴とするプリンタ。
【請求項８】
読み取った原稿のイメージデータを印刷のためにプリンタへ送信するスキャナにおいて、
前記イメージデータをプリンタへ直接出力するための第１のインターフェースと、
前記イメージデータを制御装置を介してプリンタへ出力するための第２のインターフェースとを備え、
前記第１のインターフェース又は第２のインターフェースのいずれかを選択して前記イメージデータをプリンタへ送信することを特徴とするスキャナ。
【発明の詳細な説明】
【技術分野】
【０００１】
本発明は、スキャナで読み取った原稿のイメージデータをプリンタへ送信して印刷することにより原稿のコピーを行うコピーシステム及び該システムに使用されるプリンタ及びスキャナに関する。
【背景技術】
【０００２】
従来、スキャナとプリンタを接続して容易にコピー動作を行うシステムが開発されているが、このようなシステムにおいては、スキャナとプリンタとは１つの汎用または専用のインターフェースで接続されている。特開平１１−２８２６４１号公報に示されるマルチファンクションシステムでは、２つのインターフェースで接続されているが、このシステムでは、スキャナとプリンタとの間に設けられたＩＥＥＥ１３９４バスは、パーソナルコンピュータとの接続を確立するためにのみ用いられ、スキャナとプリンタとの間で読み取られた画像データを送信するのには用いられない。
【特許文献１】特開平１１−２８２６４１号公報
【発明の開示】
【発明が解決しようとする課題】
【０００３】
しかしながら上記従来のスキャナとプリンタとで構成したコピーシステムにおいては、スキャナがプリンタと接続するためのインターフェースを１つしか持っていないために、スキャナがインターフェースにより直接プリンタに接続されている場合には、コピーの画質を向上させて出力することができないという問題があった。コピー画質を向上させて出力すること自体は、スキャナからのイメージデータをコントローラユニットで画像処理し、画像処理したイメージデータをプリンタへ出力することにより可能であるが、このようにコントローラユニットを介してイメージデータをプリンタへ出力すると、画質を向上させる必要のないイメージデータもコントローラユニットを介してプリンタへ送信することになるので、画質を向上させる必要のないイメージデータのコピー速度が遅らされるという問題がある。
【課題を解決するための手段】
【０００４】
上記課題を解決するために、本発明は、スキャナで読み取った原稿のイメージデータをプリンタへ送信して印刷することにより原稿のコピーを行うコピーシステムにおいて、イメージデータをスキャナからプリンタへ出力するための第１のインターフェースと、イメージデータをスキャナから制御装置へ出力するとともに該制御装置からプリンタへ出力するための第２のインターフェースとを備え、第１のインターフェース又は第２のインターフェースのいずれかを選択してイメージデータをプリンタへ送信することを特徴とするものである。
【０００５】
上記構成に加えて、プリンタにおけるイメージデータの処理方法を設定する設定手段を備え、設定手段により設定された処理方法に応じて第１のインターフェース又は第２のインターフェースのいずれかを選択してイメージデータをプリンタへ送信するようにするとよい。
【０００６】
また、制御装置にイメージデータに対して画像処理する機能を持たせ、設定手段をオペレータパネルとしてコピーモードを設定するようにする。さらに、設定手段により設定されるイメージデータの処理方法を、複数の原稿について個別的に設定し、制御装置に記憶するようにするとよい。
【０００７】
さらに他の発明として、第１のインターフェース又は第２のインターフェースはプリンタの状態に応じて選択されるようにし、プリンタの状態をイメージデータを受信可能か否かとし、受信可能な場合は第１のインターフェースを選択してイメージデータをスキャナからプリンタへ直接送信し、受信不可能な場合は第２のインターフェースを選択してイメージデータをスキャナから制御装置へ送信し、さらに制御装置からプリンタへ送信するようにする。
【発明の効果】
【０００８】
上記構成の本発明によれば、プリンタにおけるイメージデータの処理方法に応じて第１のインターフェース又は第２のインターフェースのいずれかを選択してイメージデータをプリンタへ送信するようにしたことにより、第１のインターフェースを選択した場合は処理速度が速くなる。
【発明を実施するための最良の形態】
【０００９】
以下、本発明を実施するための形態を図面に従って説明する。図１は本発明の第１の実施の形態のコピーシステムを示すブロック図である。図１において、第１の実施の形態のコピーシステム１は主に、スキャナユニット２とコントローラユニット３とプリンタ４とで構成される。スキャナユニット２には、共にイメージデータ出力用の汎用インターフェース５（第１のインターフェース）と汎用インターフェース６（第２のインターフェース）が実装されている。なおスキャナユニット２は、複数枚の原稿を頁単位で連続的に読み取ることのできるものである。
【００１０】
汎用インターフェース５としてはＩＥＥＥ１３９４インターフェースが使用され、ＩＥＥＥ１３９４ケーブル７によりプリンタ４に接続されている。汎用インターフェース６としてはＵＳＢ２．０インターフェースが使用され、ＵＳＢ２．０ケーブル８によりコントローラユニット３に接続されている。
【００１１】
コントローラユニット３には、装置全体を制御するＣＰＵ９、スキャナユニット２から取得したイメージデータに対して各種の画像処理を行う画像処理部１０、イメージデータを保存すると共に各種の設定事項を記憶する記憶部１１、スキャナユニット２への読み取り要求とイメージデータの取得およびスキャナユニット２の状態を監視するスキャナ管理部１２、プリンタ４への印刷データの転送およびプリンタ４の状態を監視するプリンタ管理部１３とが具備されている。
【００１２】
またコントローラユニット３にはオペレーションパネル１４が接続されている。オペレーションパネル１４はユーザがコピー開始の入力やコピー時の画質の設定等を行うためのもので、タッチパネル、表示パネル、キーボード等から構成される。
【００１３】
さらにコントローラユニット３には汎用インターフェース１５、１６が設けられ、汎用インターフェース１５、１６としてはＵＳＢ２．０インターフェースが使用される。汎用インターフェース１５はＵＳＢ２．０ケーブル８によりスキャナユニット２に接続され、汎用インターフェース１６はＵＳＢ２．０ケーブル１７によりプリンタ４に接続されている。
【００１４】
プリンタ４はイメージデータを印刷する機能を有するもので、汎用インターフェース１８、１９が設けられている。汎用インターフェース１８としてはＩＥＥＥ１３９４インターフェースが使用され、ＩＥＥＥ１３９４ケーブル７によりスキャナユニット２に接続されている。汎用インターフェース１９としてはＵＳＢ２．０インターフェースが使用され、ＵＳＢ２．０ケーブル１７によりコントローラユニット３に接続されている。
【００１５】
図２はオペレーションパネルを示す説明図である。図２において、オペレーションパネル１４には、各種の設定項目、装置状態および実行結果を表示する表示部３１、数値を入力するためのテンキー３２、各種設定をキャンセルするためのキャンセルボタン３３、各種設定メニューの遷移および選択のためのカーソルキー３４、各種設定を選択した値に確定させるためのセレクトボタン３５、設定メニューへ移行するためのメニューボタン３６、白黒コピーを選択するための白黒コピー選択ボタン３７、カラーコピーを選択するためのカラーコピー選択ボタン３８、コピーを開始させるためのスタートボタン３９およびコピーを中断させるためのストップボタン４０が設けられている。
【００１６】
次に第１の実施の形態の動作を説明する。図３は第１の実施の形態の動作を示すフローチャートである。第１の実施の形態の動作としてここではスキャナユニット２に実装されている２つの汎用インターフェース５、６をコピー画質に応じて使い分ける方法を説明する。
【００１７】
ユーザはオペレーションパネル１４を用いてコピーの画質を設定する。これについて図４にしたがって説明する。図４はオペレーションパネルの表示例を示す説明図である。まずオペレーションパネル１４のメニューボタン３６を押下する。すると、図４（ａ）に示すように、表示部３１に各種の設定画面が表示され、図４（ｂ）に示すように、縦方向のカーソルキー３４で画質設定項目を選択し、セレクトボタン３５で選択した項目を確定させる。すなわち、ここで画質モードの項目が確定されると、図４（ｃ）に示すように、現状の画質モードが表示される。
【００１８】
ここで図４（ｄ）に示すように、横方向のカーソルキー３４でいずれかの画質モードを選択し、セレクトボタン３５で選択した画質モードを確定させる。例えば、「写真」を選択して確定させると、図４（ｅ）に示すように、画質モードが「写真」に設定される。
【００１９】
画質モードとしては、通常画質モードとして高速モードがあり、高画質モードとして、写真モード、カタログモード、テキストモードがある。通常画質モードはスキャナユニット２に標準実装されているもので、高画質モードは後述するようにコントローラユニット３で画像処理を行うものである。
【００２０】
画質モードが設定された後、ユーザがスタートボタン３９を押下することによりコピー動作が開始される（ステップ１）。設定された画質情報（設定画質モード）はコントローラユニット３へ送られ、ＣＰＵ９は設定画質モードが高画質モードであるか否か判断する（ステップ２）。
【００２１】
設定画質モードが高画質モードである場合、即ち、写真モード、カタログモードまたはテキストモードのいずれかである場合、コントローラユニット３のＣＰＵ９はスキャナユニット２に対して読み取り開始の指示と汎用インターフェース６からのイメージデータの出力を指示する（ステップ３）。これによりスキャナユニット２は、原稿を読み取り、イメージデータを汎用インターフェース６から出力する。これによりコントローラユニット３は汎用インターフェース１５を介してイメージデータを取得する（ステップ４）。
【００２２】
コントローラユニット３では画像処理部１０においてコピー画質を向上させるために必要な処理を行う（ステップ５）。即ち、写真モードである場合は、このモードに適したパラメータを用いて像域分離処理を行って画質を向上させる。カタログモードの場合はノイズ除去等を行い、またテキストモードの場合はエッジ強調処理等を行って、それぞれ画質を向上させる。
【００２３】
イメージデータの画像処理が完了すると、ＣＰＵ９は画像処理したイメージデータを汎用インターフェース１６からＵＳＢ２．０ケーブル１７を介してプリンタ４へ送出する（ステップ６）。プリンタ４では汎用インターフェース１９を介してイメージデータを受け取り、画像処理された画質で印刷を行う。これによりユーザが設定した画質（高画質）のコピーが行われる。
【００２４】
ステップ２においてＣＰＵ９が設定コピーモードが高画質モードでないと判断した場合、即ち、高速モードであると判断した場合、コントローラユニット３のＣＰＵ９はスキャナユニット２に対して読み取り開始の指示と汎用インターフェース５からのイメージデータの出力を指示する（ステップ７）。これによりスキャナユニット２は、原稿を読み取り、読み取り後、スキャナユニット２が標準装備している画質の画像処理を行う（ステップ８）。この画像処理はステップ５におけるコントローラユニット３での画像処理よりも時間的に短時間で行うことができる。
【００２５】
画像処理が終了すると、イメージデータを汎用インターフェース５からＩＥＥＥ１３９４ケーブル７を介してプリンタ４へ出力する（ステップ９）。プリンタ４では汎用インターフェース１８を介してイメージデータを受け取り、画像処理された画質で印刷を行う。これによりユーザが設定した画質（標準画質）のコピーが行われる。
【００２６】
以上のように第１の実施の形態によれば、画質よりも速度を優先させる場合にはイメージデータをスキャナユニット２からダイレクトにプリンタ４へ送出するので、コントローラユニット３を経由した場合に比較してコピー速度が速くなる。また速度よりも画質を優先させる場合には、コントローラユニット３でイメージデータを高画質処理を行うので、イメージデータをスキャナユニット２からダイレクトにプリンタ４へ送出する場合に較べて高画質のコピーを行うことが可能である。即ち、ユーザの要望に即したコピーを行うことが可能になる効果を奏する。
【００２７】
次に第２の実施の形態を説明する。第２の実施の形態によるコピーシステムの構成は図１に示す第１の実施の形態の構成と同様である。第２の実施の形態は、複数の原稿のコピーにおいて各ページの処理方法、即ち、各ページのカラーモードやコピーモード（画質モード）を一度に設定可能にし、各ページの処理方法によって２つの汎用インターフェースを使い分けるようにしたものである。
【００２８】
第２の実施の形態の動作を図５に示すフローチャートにしたがって説明する。図５は第２の実施の形態の動作を示すフローチャートである。動作の説明にあたっては図１を流用する。
【００２９】
まずユーザはオペレーションパネル１４を用いてコピープログラムを作成する（ステップ１１）。コピープログラム２１は、これから実行するコピーに関する処理方法を記述したもので、図６に示す。同図に示すように、ページ欄２２、カラーモード欄２３、コピーモード欄２４および画像処理パラメータ群２５が設けられ、各ページごとにカラーモードおよびコピーモードが設定されている。
【００３０】
カラーモード欄２３の“ＲＧＢ”は２４ｂｉｔのＲＧＢイメージデータを用いたカラーコピーで、かつ高画質コピーを意味し、“ＭＯＮＯ”は１ｂｉｔの白黒イメージデータを用いた白黒コピーで、かつ標準画質コピーを意味し、“ＧＲＡＹ”は  ８ｂｉｔのＧＲＡＹイメージデータを用いた白黒コピーで、かつ高画質コピーを意味する。また図示していないが、“ＣＭＹＫ”は４ｂｉｔのＣＭＹＫイメージデータを用いたカラーコピーで、かつ標準画質コピーを意味する。コピーモード欄２４の“ＱＵＡＬＩＴＹ”は高画質コピーを意味し、“ＮＯＲＭＡＬ”は標準画質コピーを意味する。画像処理パラメータ群２５は画質モードの設定値に対応した画像処理に必要なパラメータを示す。
【００３１】
コピープログラム２１は次にようにして作成される。これについて図７を用いて説明する。図７はコピープログラム作成処理を示す説明図である。図７はオペレーションパネル１４の表示部３１を示す。
【００３２】
まずメニューボタン３６で各種の設定項目を表示し、縦方向のスクロールキー３４で設定項目を選択し、コピープログラムを選択して、セレクトボタン３５でコピープログラムを確定する（図７（ａ）、（ｂ）、（ｃ））。つぎにテンキー３２を用いて開始ページを入力し、セレクトボタン３５で開始ページを確定させる（図７（ｄ））。つぎにテンキー３２を用いて終了ページを入力し、セレクトボタン３５で終了ページを確定させる（図７（ｅ））。
【００３３】
次に横方向のスクロールキー３４で画質モードを選択し、セレクトキー３５で画質モードを確定する（図７（ｆ））。次に白黒コピー選択ボタン３７またはカラーコピー選択ボタン３８を押下することにより、カラーモードを確定させる（図７（ｇ））。さらに設定動作を続行する場合には、図７（ｈ）に示す画面においてＹｅｓボタンを押下すると、図７（ｃ）に示す"開始ページ"入力待ちへ移行する。図７（ｈ）に示す画面においてＮｏボタンを押下すると、コピー待機状態へ移行する。
【００３４】
ユーザにより作成されたコピープログラム２１は、コントローラユニット３内の記憶部１１に記憶される（ステップ１２）。これによりコピープログラム２１が登録される。
【００３５】
コピー待機状態に移行した後、セレクトボタン３５の押下によりコピープログラム２１に基づいてコピー動作が開始される（ステップ１３）。コントローラユニット３のＣＰＵ９は、コピープログラム２１を参照し（ステップ１４）、第１ページのコピーにおいてイメージデータをコントローラユニット３へ送る必要があるかどうか、即ち、コピーモードが高画質モードであるか否か判断する（ステップ１５）。
【００３６】
コントローラユニット３内での画像処理が必要であると判断すると、コントローラユニット３のＣＰＵ９はスキャナユニット２に対して読み取り開始の指示と汎用インターフェース６からのイメージデータの出力を指示する（ステップ１６）。これによりスキャナユニット２は、原稿を読み取り、イメージデータを汎用インターフェース６から出力する。これによりコントローラユニット３は汎用インターフェース１５を介してイメージデータを取得する（ステップ１７）。
【００３７】
コントローラユニット３では画像処理部１０においてコピー画質を向上させるために必要な処理を行う（ステップ１８）。即ち、第１の実施の形態と同様に、写真モードである場合は、このモードに適したパラメータを用いて像域分離処理を行って画質を向上させる。カタログモードの場合はノイズ除去等を行い、またテキストモードの場合はエッジ強調処理等を行って、それぞれ画質を向上させる。
【００３８】
イメージデータの画像処理が完了すると、ＣＰＵ９は画像処理したイメージデータを汎用インターフェース１６からＵＳＢ２．０ケーブル１７を介してプリンタ４へ送出する（ステップ１９）。プリンタ４では汎用インターフェース１９を介してイメージデータを受け取り、画像処理された画質で印刷を行う。またプリンタ４は、コピープログラム２１で設定されている色の印刷を行う。例えば、図６示すコピープログラム２１の第１ページでは“ＲＧＢ”となっており、この場合は、階調再現性の高いＲＧＢイメージデータをプリンタ４へ送出し、印刷を行う。これによりユーザが設定した画質（高画質）のコピーが行われる。
【００３９】
次にコントローラユニット３のＣＰＵ９は全ての原稿の読み取りが終了したかどうか確認し（ステップ２０）、まだ読み取るべき原稿が残っている場合には、ステップ１４へ戻り、ＣＰＵ９はコピープログラム２１を参照し、次のページのコピーにおけるイメージデータの処理方法を取得する。
【００４０】
ステップ１５において、イメージデータをコントローラユニット３へ送る必要はない、即ち、コピーモードが標準画質モードであると判断した場合は、コントローラユニット３のＣＰＵ９はスキャナユニット２に対して読み取り開始の指示と汎用インターフェース５からのイメージデータの出力を指示する（ステップ２１）。これによりスキャナユニット２は、原稿を読み取り、読み取り後、スキャナユニット２が標準装備している画質の画像処理を行う（ステップ２２）。この画像処理はステップ５におけるコントローラユニット３での画像処理よりも時間的に短時間で行うことができる。
【００４１】
画像処理が終了すると、イメージデータを汎用インターフェース５からＩＥＥＥ１３９４ケーブル７を介してプリンタ４へ出力する（ステップ２３）。プリンタ４では汎用インターフェース１８を介してイメージデータを受け取り、画像処理された画質で印刷を行う。またプリンタ４は、コピープログラム２１で設定されている色の印刷を行う。例えば、図６に示すコピープログラム２１の第４ページでは"ＭＯＮＯ"となっており、この場合は白黒印刷を行う。これによりユーザが設定した画質（標準画質）のコピーが行われる。
【００４２】
次にコントローラユニット３のＣＰＵ９は全ての原稿の読み取りが終了したかどうか確認し（ステップ２０）、まだ読み取るべき原稿が残っている場合には、ステップ１４へ戻り、以降のステップを繰り返す。ステップ２０で全ての原稿を読み取ったことが確認されると、待機状態になる。
【００４３】
以上のように第２の実施の形態では、予めコピープログラム２１を作成し、作成したプログラムを参照してコピー処理ルートを変えるようにしたので、コピー動作の都度画質等を設定しなくても複数の原稿を連続してコピーすることが可能である。
【００４４】
次に第３の実施の形態を説明する。第３の実施の形態によるコピーシステムの構成は図１に示す第１の実施の形態の構成と同様である。第３の実施の形態は、プリンタの状態によって２つの汎用インターフェースを使い分けることにより、プリンタが例えばウォーミングアップ処理中でイメージデータを受信不可能な場合であってもコピー速度の低下を最小限に抑えるようにしたものである。
【００４５】
即ち、プリンタがウォーミングアップ状態にあるときにはプリンタへはイメージデータを送信することができない。スキャナとプリンタが１つのインターフェースで直接接続されている場合には、プリンタでのウォーミングアップ処理の終了を待ってからスキャナからイメージデータをプリンタへ送信することになるので、コピー処理が遅らされることになる。第３の実施の形態はこれを解決するものである。
【００４６】
第３の実施の形態の動作を図８に示すフローチャートにしたがって説明する。図８は第３の実施の形態の動作を示すフローチャートである。動作の説明にあたっては図１を流用する。
【００４７】
まずユーザはオペレーションパネル１４を用いてコピーの画質を設定する。これは第１の実施の形態の場合と同様に行う。またオペレーションパネル１４のスタートボタン３９を押下することによりコピー動作を開始させる。設定された画質情報（設定画質モード）はコントローラユニット３へ送られ、ＣＰＵ９は設定画質モードが高画質モードであるか否か判断するとともに、スキャナユニット２に対して読み取り開始の指示と汎用インターフェース５からのイメージデータの出力を指示する（ステップ３１）。
【００４８】
またコントローラユニット３のＣＰＵ９は、プリンタ管理部１３を用いてプリンタ４の状態を取得する（ステップ３２）。ここでＣＰＵ９はプリンタ４がウォーミングアップ中であるか否かを判断し（ステップ３３）、プリンタ４がウォーミングアップ中である場合は、スキャナユニット２に対して読み取り開始の指示と汎用インターフェース６からのイメージデータの出力を指示する（ステップ３４）。
【００４９】
これによりスキャナユニット２は、原稿を読み取り、イメージデータを汎用インターフェース６から出力する。これによりコントローラユニット３は汎用インターフェース１５を介してイメージデータを取得する（ステップ３５）。
【００５０】
設定画質モードが高画質モードに設定されている場合（ステップ３６）、コントローラユニット３では画像処理部１０において上記実施の形態と同様にコピー画質を向上させるために必要な処理を行う（ステップ３７）。画像処理を終了したイメージデータは記憶部１１へ格納される（ステップ３８）。また設定画質モードが標準画質モードに設定されている場合は、イメージデータは画像処理を行うことなく記憶部１１へ格納される（ステップ３８）。
【００５１】
コントローラユニット３のＣＰＵ９は、次ページの読み取りを実行させる前に、プリンタ管理部１３を用いて再度プリンタ４の状態を取得する（ステップ３２）。ここでプリンタ４がウォーミングアップ中である場合は、上述したステップ３４以降の動作を行う。
【００５２】
ステップ３３において、プリンタ４がウォーミングアップから復旧した場合、即ち、イメージデータを受信可能であると判定された場合は、記憶部１１内にイメージデータが格納されているか確認し（ステップ３９）、イメージデータが格納されている場合、ＣＰＵ９は記憶部１１内のイメージデータを汎用インターフェース１６からＵＳＢ２．０ケーブル１７を介してプリンタ４へ送出する（ステップ４０）。プリンタ４では汎用インターフェース１９を介してイメージデータを受け取り、ユーザが設定した画質で印刷を行う。これによりユーザが設定した画質のコピーが行われる。
【００５３】
ステップ３９において記憶部１１にイメージデータが格納されていない場合は、コントローラユニット３のＣＰＵ９は設定画質モードが高画質モードであるか否か判断する（ステップ４１）。ＣＰＵ９が設定画質モードが高画質モードでないと判断した場合、即ち、標準画質であると判断した場合、スキャナユニット２に対して読み取り開始の指示と汎用インターフェース５からのイメージデータの出力を指示する（ステップ４２）。これによりスキャナユニット２は、原稿を読み取り、読み取り後、スキャナユニット２が標準装備している画質の画像処理を行う（ステップ４３）。
【００５４】
画像処理が終了すると、イメージデータを汎用インターフェース５からＩＥＥＥ１３９４ケーブル７を介してプリンタ４へ出力する（ステップ４４）。プリンタ４では汎用インターフェース１８を介してイメージデータを受け取り、画像処理された画質で印刷を行う。これによりユーザが設定した画質（標準画質）のコピーが行われる。
【００５５】
ステップ４１においてＣＰＵ９が設定コピーモードが高画質モードであると判断した場合、ＣＰＵ９はスキャナユニット２に対して読み取り開始の指示と汎用インターフェース６からのイメージデータの出力を指示する（ステップ４５）。これによりスキャナユニット２は、原稿を読み取り、イメージデータを汎用インターフェース６から出力する。これによりコントローラユニット３は汎用インターフェース１５を介してイメージデータを取得する（ステップ４６）。
【００５６】
コントローラユニット３では画像処理部１０においてコピー画像を向上させるために必要な処理を行う（ステップ４７）。イメージデータの画像処理が完了すると、ＣＰＵ９は画像処理したイメージデータを汎用インターフェース１６からＵＳＢ２．０ケーブル１７を介してプリンタ４へ送出する（ステップ４８）。プリンタ４では汎用インターフェース１９を介してイメージデータを受け取り、画像処理された画質で印刷を行う。これによりユーザが設定した画質（高画質）のコピーが行われる。
【００５７】
以上のように第３の実施の形態によれば、プリンタがウォーミングアップ中でイメージデータを受信不可の場合には、プリンタへの出力待ち状態のイメージデータをコントローラユニット内の記憶部に格納するので、プリンタのウォーミングアップ中であることによるコピー速度の低下を抑えることが可能となる。
【００５８】
上記各実施の形態では、２つの汎用インターフェースとして、ＩＥＥＥ１３９４、ＵＢＳ２．０を用いたが、その他としてＵＳＢ１．１、ＩＥＥＥ１２８４、あるいはＬＡＮ等のインターフェースを使用することも可能である。
【図面の簡単な説明】
【００５９】
【図１】第１の実施の形態のコピーシステムを示すブロック図である。
【図２】オペレーションパネルを示す説明図である。
【図３】第１の実施の形態の動作を示すフローチャートである。
【図４】オペレーションパネルの表示例を示す説明図である。
【図５】第２の実施の形態の動作を示すフローチャートである。
【図６】コピープログラムを示す説明図である。
【図７】コピープログラム作成処理を示す説明図である。
【図８】第３の実施の形態の動作を示すフローチャートである。
【符号の説明】
【００６０】
１  コピーシステム
２  スキャナユニット
３  コントローラユニット
４  プリンタ
５、６  汎用インターフェース
９  ＣＰＵ
１０  画像処理部
１１  記憶部
１３  プリンタ管理部
１４  オペレーションパネル
【図１】
2006086635.tif 000003
【図２】
2006086635.tif 000004
【図３】
2006086635.tif 000005
【図４】
2006086635.tif 000006
【図５】
2006086635.tif 000007
【図６】
2006086635.tif 000008
【図７】
2006086635.tif 000009
【図８】
2006086635.tif 000010